(57)【特許請求の範囲】
【請求項１】
薬品毎に経管投与の可否及び経管投与の条件を示す経管投与フラグを少なくとも記憶した薬品マスターと、個々の前記経管投与フラグに割り当てられた前記経管投与の可否及び経管投与の条件を表す経管投与フラグコメントを記憶した名称マスターと、複数のコメントコードと、前記経管投与の可否及び経管投与の条件に関連したものを含む情報であって個々の前記コメントコードが割り当てられたコメントとを記憶したコメントマスターとを少なくとも有し、前記薬品マスターは、薬品毎に前記コメントコードを前記コメントの使用条件を指定する区分と共に記憶する、情報蓄積部と、
入力された処方情報に含まれる薬品の前記経管投与フラグを、前記薬品マスターを参照して確認し、確認した前記経管投与フラグを使用して前記入力された処方情報を整理し、かつ確認した前記経管投与フラグに対応する前記経管投与フラグコメントを、前記名称マスターから取り出し、前記入力された処方情報に含まれる薬品の前記コメントコードと前記コメントコードに対応する区分を前記薬品マスターを参照して確認し、確認した前記コメントコードに対応する前記コメントを前記コメントマスターから取り出す処理部と、
前記処理部で整理された処方情報及び前記処理部で取り出された経管投与フラグコメントを、前記経管投与フラグにより決まる出力先に出力すると共に、前記処理部で取り出されたコメントを前記区分で指定された使用条件に従って出力する出力部と
を備えることを特徴とする、調剤支援システム。
【請求項２】
前記経管投与フラグには、粉砕調剤が必要な薬品であることを示すものがあり、
前記出力処理部は、前記粉砕調剤が必要な薬品であることを示す経管投与フラグがあれば必要に応じて暗所保存指示シートを出力する一方、前記粉砕調剤が必要な薬品であることを示す経管投与フラグがなければ暗所保存指示シートを出力しない、請求項１に記載の調剤支援システム。
【発明の詳細な説明】
【技術分野】
【０００１】
本発明は、調剤支援システムに関する。
【背景技術】
【０００２】
経管投与による投薬の新たな手法として、簡易懸濁法が知られている（例えば非特許文献１参照）。この簡易懸濁法は、錠剤、カプセル剤等の薬剤を基本的には粉砕ないしは潰すことなく適量の温水に入れ、崩壊・懸濁させて経管投与に供する手法である。簡易懸濁法は、薬剤を粉砕ないし潰して経管投与に供する手法（粉砕調剤）と比較すると、光、湿度、温度等による安定性、吸収やバイオアベイラビリティの変化、薬剤のロス、調剤者の健康、調剤時間、配合変化、投与可能な薬剤（軟カプセルや抗癌剤の投与の可否）等の点で優れている。錠剤、カプセル剤を経管投与する場合、従来の粉砕、脱カプセルの方法に代わり、直接温湯に崩壊懸濁させて経管投与する「簡易懸濁法」が普及しその有用性が評価されている。また、錠剤、カプセル剤だけでなく散剤、顆粒剤においてもチューブ閉鎖の問題などから経管投与不適な薬剤があり、調剤時にその適否をチェックすることが必須となった。さらに、実際に投与する看護師へ経管投与に関する情報を提供することも重要である。
【０００３】
種々の調剤支援システムが提案されている（例えば特許文献１，２参照）。しかし、既知の調剤支援システムでは、医師、看護師、薬剤師等の医療関係者や患者、介護者等に対して簡易懸濁法を含む経管投与に関する情報を、効果的に提供することは困難であった。また、簡易懸濁法は粉砕調剤と比較すると未だ普及の途上にあるので、調剤支援システムで簡易懸濁法を取り扱うには、温水に投入した場合の物性、吸収、安定性、溶出挙動、配合変化等に関する情報を高頻度で追加・変更する必要があり、調剤支援システムには高い柔軟性が求められる。
【先行技術文献】
【特許文献】
【０００４】
【特許文献１】特開２００７−０３７８２３号公報
【特許文献２】特開平９−０９４２８７号公報
【非特許文献１】倉田、外３名、「経管投与可能な固形薬剤の検討と一覧表の作成」、医療薬学、日本医療薬学会、２００１年、第２７巻、第５号、ｐ．４６１−４７２
【発明の概要】
【発明が解決しようとする課題】
【０００５】
本発明は、簡易懸濁法を含む経管投与に関する情報を、医療関係者や患者等に効果的に提供でき、かつ簡易懸濁法を含む経管投与に関する情報の追加・変更等に関して高い柔軟性を有する調剤支援システムを提供することを課題とする。
【課題を解決するための手段】
【０００６】
本発明は、薬品毎に経管投与の可否及び経管投与の条件を示す経管投与フラグを少なくとも記憶した薬品マスターと、個々の前記経管投与フラグに割り当てられた前記経管投与の可否及び経管投与の条件を表す経管投与フラグコメントを記憶した名称マスターと、複数のコメントコードと、前記経管投与の可否及び経管投与の条件に関連したものを含む情報であって個々の前記コメントコードが割り当てられたコメントとを記憶したコメントマスターとを少なくとも有し、前記薬品マスターは、薬品毎に前記コメントコードを前記コメントの使用条件を指定する区分と共に記憶する、情報蓄積部と、入力された処方情報に含まれる薬品の前記経管投与フラグを、前記薬品マスターを参照して確認し、確認した前記経管投与フラグを使用して前記入力された処方情報を整理し、かつ確認した前記経管投与フラグに対応する前記経管投与フラグコメントを、前記名称マスターから取り出し、前記入力された処方情報に含まれる薬品の前記コメントコードと前記コメントコードに対応する区分を前記薬品マスターを参照して確認し、確認した前記コメントコードに対応する前記コメントを前記コメントマスターから取り出す処理部と、前記処理部で整理された処方情報及び前記処理部で取り出された経管投与フラグコメントを、前記経管投与フラグにより決まる出力先に出力すると共に、前記処理部で取り出されたコメントを前記区分で指定された使用条件に従って出力する出力部とを備えることを特徴とする、調剤支援システムを提供する。
【０００７】
経管投与フラグを使用して整理した処方情報と、経管投与フラグに対応する経管投与フラグコメントを出力することで、簡易懸濁法を含む経管投与に関する情報を、医療関係者や患者等に効果的に提供できる。
【０００８】
例えば、前記経管投与フラグには、粉砕調剤が必要な薬品であることを示すものがあり、前記出力処理部は、前記粉砕調剤が必要な薬品であることを示す経管投与フラグがあれば必要に応じて暗所保存指示シートを出力する一方、前記粉砕調剤が必要な薬品であることを示す経管投与フラグがなければ暗所保存指示シートを出力しない。
【００１０】
経管投与フラグを使用して整理した処方情報や、経管投与フラグに対応する経管投与フラグコメントに加え、コメントを出力することにより、医療関係者や患者等に対して簡易懸濁法を含む経管投与に関するより詳細な情報を提供できる。また、薬品マスターにコメントフラグを出力先区分と共に記憶することにより、個々のコメントについての使用条件を薬品毎に指定できる。言い換えれば、同一のコメントでも薬品毎に出力の有無や出力先等を異ならせることができ、異なる薬品間でコメントを共用できる。その結果、コメントマスターがコメントを記憶するために必要な記憶容量を節約できる。また、簡易懸濁法を含む経管投与に関する情報の追加・変更等に関して高い柔軟性が得られる。
【００１１】
具体的には、前記処理部は、前記入力された処方情報に含まれる薬品の前記経管投与フラグが経管投与不可であることを示す場合には、少なくとも前記名称マスターから取り出した経管投与フラグコメントと前記コメントマスターから取り出したコメントとを含むチェックシートを、前記出力部に出力させる。
【００１２】
また、前記入力された処方情報に含まれる薬品の前記経管投与フラグが経管投与可であることを示す場合には、少なくとも前記名称マスターから取り出した経管投与フラグコメントと前記コメントマスターから取り出したコメントとを含む経管投与情報シートを、前記出力部に出力させる。
【発明の効果】
【００１３】
本発明の調剤支援システムは、薬品毎に経管投与の可否及び経管投与の条件を示す経管投与フラグを使用して整理ないしは取りまとめた処方情報と、経管投与フラグに対応する経管投与フラグコメントとを出力できるので、簡易懸濁法を含む経管投与に関する情報を、医療関係者や患者等に効果的に提供できる。また、コメントコードを区分と関連付けて記憶することにより、記憶容量を節約できると共に、簡易懸濁法を含む経管投与に関する情報の追加・変更等に関して高い柔軟性を実現できる。
【発明を実施するための形態】
【００１４】
図１は本発明の実施形態にかかる調剤支援システム１を示す。この調剤支援システム１は、ホスト２から受信した処方情報に医師からの経管投与指示が含まれる場合に、経管投与の可否等の確認、経管投与の手法に基づいた薬品等の取りまとめ等の処方情報の整理、薬袋への経管投与に関する情報の出力、経管投与が不可である場合の「チェックシート」の出力、及び経管投与が可である場合の「経管投与情報シート」の出力を行う。これにより医療関係者は煩雑な確認作業を行う必要がなく、調剤作業を効率的に行うことができる。また、経管投与に関して医療関係者と患者等の双方に整理された有益な情報を提供できる。この調剤システム１の運用としては、医師は該当する場合には処方時に「経管投与指示」を入力する。また、薬剤師は処方の「経管投与指示」を受けてこの調剤支援システム１を用い、内服薬すべての経管投与の適否を確認して調剤し、経管投与不適の場合には医師に疑義照会を行う。さらに、看護師は、薬袋及び経管投与情報シートに記載された方法に従って調製を実行する。
【００１５】
図１を参照すると、調剤支援システム１は、通信制御部３、データベース（情報蓄積部）４、データベース管理部５、入出力制御部６、印刷部（出力部）７、入力部８、表示部９、及び処理部１０を備える。
【００１６】
通信制御部３は、ホスト２からの処方情報の受信を実行する。処方情報は、日付、患者のＩＤ情報等、医師が処方した薬剤の種類、用法、及び用量、並びに医師による経管投与指示が含まれる。ただし調剤支援システム１への処方情報の入力の態様は、ホスト２からの受信に限定されず、例えば医師が作成した処方箋中に記載された情報をオペレータＰが入力部８を使用して手作業で入力してもよい。
【００１７】
データベース４は、薬品マスター２１、名称マスター２２、及びコメントマスター２３を含む、種々のマスターを備える。各マスターのデータ構造等については後に詳述する。
【００１８】
処理部１０は、通信制御部３がホスト２から受信した処方情報を処理し、処理結果に基づいて印刷部７に対して各種情報の出力を指示する。処理部１０は、処方情報の処理に際してデータベース管理部５を介してデータベース４にアクセスし、データベース４に格納されている種々の情報を使用する。また、処理部１０は、オペレータＰが操作するキーボード、マウス等のデバイスである入力部８からの命令に基づいて動作する。例えば液晶ディスプレイである表示部９によって処理部１０の処理結果等の必要な情報が視覚的に表示される。データベース４に格納された情報の追加・変更等は、入力部８からの命令に基づいて処理部１０がデータベース４にアクセスして実行する。
【００１９】
印刷部７はプリンタ等からなり、後に詳述するように、処方箋３１、薬袋３２、薬剤情報シート３３に加え、該当する場合にはチェックシート３４や経管投与情報シート３５を出力する。印刷部７への処理部１０からの出力や、入力部８や表示部９と処理部１０との間の入出力は入出力制御部６により制御される。
【００２０】
データベース４の薬品マスター２１には、図２に模式的に示すレコード２１ａが多数記憶されている。個々のレコード２１ａは１つの薬品に対応している。個々のレコード２１ａは、薬品を特定する「薬品コード」、その薬品の名称のテキストデータである「薬品名称」、その薬品の量を示す錠、ml、ｇ等の「単位」を含む。また、個々のレコード２１ａは、経管投与の可否及び経管投与の条件を示す「経管投与フラグ」を含む。さらに、個々のレコード２１ａは「コメントコード」（本実施形態では４桁の数字）が対応する「出力先区分」（本実施形態では１桁の数字）と共に記憶されている。「コメントコード」と「出力先区分」に関しては、コメントマスター２３と共に後に詳述する。薬品マスター２１のレコード２１ａは他の情報を含んでいてもよい。薬品マスター２１に記憶されているそれぞれ１つの薬品に対する個々のレコード２１ａに対して、複数の「コメントコード」とそれに対応する「出力先区分」を関連付けることができる。
【００２１】
データベース４の名称マスター２２には、図３に模式的に示すレコード２２ａが複数個（本実施形態では７個）記憶されている。各レコード２２ａは１個の「経管投与フラグ」と、その「経管投与フラグ」の定義を簡潔に表したテキストデータである「フラグ名称」と、その「経管投与フラグ」に割り当てられている経管投与の可否及び経管投与の条件を表すテキストデータである「経管投与フラグコメント」を含む。換言すれば、「経管投与フラグコメント」は「経管投与フラグ」別にまとめられたコメントであり、この「経管投与フラグコメント」は、後述するように薬袋３２の注意事項、経管投与情報シート３５中の記載、薬剤情報シート３３中の記載等として出力される。本実施形態では、「０」から「６」までの７個の「経管投与フラグ」があり、個々の「経管投与フラグ」に割り当てられた「フラグ名称」及び「経管投与フラグコメント」は以下の表１に示す通りである。表１はあくまで一例であり、「経管投与フラグ」の追加や、個々の「経管投与フラグ」に対応する「フラグ名称」及び「経管投与フラグコメント」は任意に設定できる。
【００２２】
【表１】
0005532103.tif 000002
【００２３】
「０」の「経管投与フラグ」は、その薬剤は経管投与が不可能であることを示す。一方、「１」から「６」までの「経管投与フラグ」は、経管投与が可能であることを示す。
【００２４】
「１」から「４」までの「経管投与フラグ」は、簡易懸濁が可能であることを示す。具体的には、「１」の「経管投与フラグ」は錠剤等の破壊を行うことなく簡易懸濁法を適用できることを示す。また、「２」の「経管投与フラグ」は錠剤等の破壊を行えば簡易懸濁法を適用可能であることを示す。さらに、「３」の「経管投与フラグ」はシリンジを使用して簡易懸濁を実行する必要があることを示す。さらにまた、「４」の「経管投与フラグ」は錠剤等の破壊を行った後にシリンジを使用して簡易懸濁を実行する必要があることを示す。
【００２５】
「５」の「経管投与フラグ」はその薬品が水溶性の高い散薬や水剤である等の理由で懸濁操作が不要であることを示す。また、「６」の「経管投与フラグ」は経管投与は可能であるが簡易懸濁法を実行することができず、薬剤を粉砕して経管投与する必要があることを示す。
【００２６】
データベース４のコメントマスター２３には、図４に模式的に示すレコード２３ａが多数記憶されている。各レコード２３ａは「コメントコード」とその「コメントコード」が割り当てられた「コメント」を含む。言い換えれば、コメントマスター２３には複数の「コメント」が記憶されており、個々の「コメント」にそれぞれ単一の「コメントコード」が割り当てられている。「コメント」は前記経管投与の可否及び経管投与の条件に関連したものを含む種々の情報を表すテキストデータである。「コメント」には経管投与とは関連しない情報も含まれる。前述の「経管投与フラグコメント」はいずれも経管投与に関連する情報であるの対し、「コメント」は情報の内容が限定されない（経管投与に関するものに限られない）点で汎用性を有する。
【００２７】
以下の表２は、「コメントコード」と「コメント」の一例を示す。「コメントコード」の追加や、個々の「コメントコード」を割り当てる「コメント」の内容は権限を有するオペレータ等が任意に設定できる。
【００２８】
【表２】
0005532103.tif 000003
【００２９】
「出力先区分」は、個々の「コメント」について、「コメント」の使用条件、具体的には「コメント」を出力するか否か、及び出力する場合には出力先（処方箋３１、薬剤情報シート３３、薬袋３２、チェックシート３４、及び経管投与情報シート３５のうちのいずれに印刷するか）を指定する。以下の表３は「出力先区分」の一例を示す。この表３における「出力先名称」が、「出力先区分」で指定される「コメント」の使用条件である。
【００３０】
【表３】
0005532103.tif 000004
【００３１】
前述のように薬品マスター２１の個々のレコード２１ａは「コメントコード」と共に「出力先区分」を記憶している。従って、同一の「コメントコード」に対応する「コメント」であっても、レコード２１ａ毎（薬品毎）に「コメント」の使用条件を異ならせることができる。表２及び表３を参照すると、例えば「００１２」の「コメントコード」が割り当てられた「５５℃の温湯に１０分間溶かして下さい」という「コメント」は、「００１２」の「コメントコード」が「８」の「出力先区分」と共に登録されているレコード２１ａについては、経管投与情報シート３５と薬袋３２に印刷されるが、「００１２」の「コメントコード」が「９」の「出力先区分」と共に登録されているレコード２１ａについては、処方箋３１、薬剤情報シート３３、薬袋３２、チェックシート３４、及び経管投与情報シート３５のうちのいずれにも印刷されない。
【００３２】
このように、薬品マスター２１に「コメントフラグ」を「出力先区分」と共に記憶することにより、個々の「コメント」についての使用条件を薬品毎に指定できる（同一の「コメント」でも薬品毎に出力の有無や出力先等を異ならせることができる）ので、異なる薬品間で「コメント」を共用できる。その結果、コメントマスター２３が「コメント」を記憶するために必要な記憶容量を節約できる。また、簡易懸濁法を含む経管投与に関する情報の追加・変更等に関して高い柔軟性が得られる。
【００３３】
次に、図５のフローチャートを参照して本実施形態の調剤支援システム１の動作を説明する。
【００３４】
まず、ステップＳ１において、ホスト２から処方情報を受信する。次に、ステップＳ２において、内規処理を行う。この内規処理では調剤内規（個々の薬局、病院内で取り決められた調剤に関する独自の規則）に従って処方情報の整理（薬袋３２に印字する情報のとりまとめ、１包化（服用時の薬を１つにまとめる。）等）を実行する。
【００３５】
ステップＳ３において、処方情報中に経管投与指示がなければ、ステップＳ４において内規処理で整理した処方情報を印刷した処方箋３１、薬剤情報シート３３、及び薬袋３２を出力する。
【００３６】
ステップＳ３において、処方情報中に経管投与指示があれば、ステップＳ５において薬品マスター２１を参照して処方情報に含まれる個々の薬品の「経管投与フラグ」を確認する。次に、ステップＳ６において、ステップＳ５で確認した「経管投与フラグ」に「０」のものがあるか、すなわち経管投与が不可の薬品が処方情報中に含まれているかを確認する。ステップＳ６において経管投与処理が不可の薬品が含まれている場合には、ステップＳ７において経管投与が不可の薬品に対する対処方法（例えば代替の薬品の提示）等を印字したチェックシート３４が出力を出力する。このチェックシート３４に印字する対処方法等としてコメントマスター２３に記憶された「コメント」が使用される。具体的には、薬品マスター２１を参照することで、個々の「コメントコード」の「出力先区分」を確認し、「出力先区分」で指定された使用条件に応じて「コメント」がチェックシート３４に印刷される。医療関係者はこのチェックシート３４を参照することで、経管投与に関する煩雑な確認作業を行う必要がなくなり、代替の薬品等の対処法を速やかに確認でき、調剤作業を効率的に行うことができる。
【００３７】
ステップＳ８においてオペレータＰが継続指令を入力しない場合には、チェックシート３４の出力で処理が終了する（ステップＳ９）。一方、ステップＳ８でオペレータＰが継続指令を入力した場合には、ステップＳ１０において整理処理を行う。また、ステップＳ６において、ステップＳ５で確認した「経管投与フラグ」に「０」のものがない場合、すなわち経管投与が付加の薬品が処方情報に含まれない場合（処方情報に含まれる薬品がすべて経管投与が可である場合）には、ステップＳ７〜Ｓ９の処理を実行することなく、ステップＳ１０に処理が移行する。ステップＳ１０の整理処理は、ステップＳ５で確認した「経管投与フラグ」等を使用して、ステップＳ２の内規処理でいったん整理した処方情報をさらに整理する処理であり、例えば薬袋３２に印字する情報を「経管投与フラグ」を使用して再度とりまとめる。この整理処理では、例えば散薬同士は用法が同じであれば別剤（後述するＲＰが別であるという意味。）と指示されていても同一薬袋３２に取りまとめられ、散剤と錠剤は用法が同じであっても別剤とする（別の薬袋３２とする）等の予め定められた規則に従って処理が実行される。
【００３８】
続いて、ステップＳ１１において、名称マスター２２及びコメントマスター２３を参照して経管投与関連処理を実行する。この経管投与関連処理では、「経管投与フラグ」や「コメントコード」及び「出力先区分」を参照して、処方情報に含まれる薬品について該当する「経管投与フラグコメント」や「コメント」を名称マスター２２やコメントマスター２３から取り出す。
【００３９】
ステップＳ１２において処方情報に含まれる薬品について「経管投与フラグ」が「６」のものがある場合、すなわち粉砕調剤が必要な薬品が処方情報中に含まれる場合には、必要に応じてステップＳ１３において粉砕調剤に関する情報を印字した暗所保存指示シート３６が出力される。この暗所保存指示シート３６は、以下のような薬品チェックを経て出力される。まず、データベース４は、「経管投与フラグ」の名称マスター２２と同様の構成を有する「粉砕時保管フラグ」の第２の名称マスターを有する。この第２の名称マスターのレコードは、「粉砕時保管フラグ」と、それに対応する「フラグ名称」及び「粉砕時保管フラグコメント」を有する（表１参照）。「粉砕時保管フラグ」は粉砕時に暗所での保存が必要な薬剤であることを示し、それに対応する「粉砕時保管フラグコメント」は例えば「暗所保存」等のテキストデータである。また、薬品マスター２１のレコード２１ａのうちその薬品について例えば粉砕時に暗所保存が必要である場合には、それを示す「粉砕時保管フラグ」が含まれる。ホスト２からの処方情報中に粉砕指示が含まれる場合、その処方情報に含まれる薬品について「粉砕時保管フラグ」が設定されているかを薬品マスター２１を参照して確認する。そして、少なくとも１つの薬品について「粉砕時保管フラグ」が設定されていれば、対応する「暗所保存」等の粉砕時保管フラグコメントを使用して暗所保存指示３６を作成及び出力する。なお、以上の薬品チェック及びそれに基づく暗所保存指示シート３６の出力は処方情報中に経管投与指示が含まれない場合（図５のステップＳ３，４）にも実行される。
【００４０】
ステップＳ１３の処理を実行した後、ステップＳ１４に移行する。また、ステップＳ１２において処方情報に含まれる薬品について「経管投与フラグ」が「６」のものがない場合、すなわち粉砕調剤が必要な薬品が処方情報中に含まれない場合（処方情報に含まれる薬品がすべて粉砕調剤の不要なものである場合）には、ステップＳ１３の処理を実行することなく、ステップＳ１４に移行する。ステップＳ１４では、処方箋３１、薬袋３２、薬剤情報シート３３を出力する。また、ステップＳ１４では経管投与の方法に関する詳細な情報を印字した経管投与情報シート３５が出力される。薬袋３２にはステップＳ１０の整理処理で「経管投与フラグ」を使用して再整理（経管投与フラグ別に取りまとめる）した処方情報が印刷される。また、薬袋３２、薬剤情報シート３３、及び経管投与情報シート３５には経管投与の方法に関する情報として、名称マスター２２に記憶された「経管投与フラグコメント」や、コメントマスター２３に記憶された「コメント」が使用される。「経管投与フラグ」と一対一に対応する「経管投与フラグコメント」のみでなく、個々の「コメントコード」に割り当てられた「コメント」を印字することで、医療関係者や患者等に対して簡易懸濁法を含む経管投与に関するより詳細な情報を提供できる。薬袋３２、薬剤情報シート３３、及び経管投与情報シート３５に簡易懸濁法を含む経管投与に関する情報が印刷されているので、医療関係者は煩雑な確認作業を行う必要がなく、調剤作業を効率的に行うことができる。また、経管投与に関して医療関係者と患者等の双方に整理された有益な情報を提供できる。特に、個々の薬袋３２には「経管投与フラグ」によって整理された処方情報が印刷されている（個々の薬袋３２には経管投与の方法別に薬品が収容される）ので、投与の際に経管投与の方法を簡単かつ確実に認識できる。また、経管投与情報シート３５は簡易懸濁法を含む経管投与に関する詳細な情報がまとめて掲載される点で有用である。
【００４１】
本実施形態の調剤支援システム１は、特に「経管投与フラグ」を用いて処方情報を取りまとめる点、「経管投与フラグ」及びそれに対応する「経管投与フラグコメント」を任意に設定できる点、「経管投与フラグコメント」だけでなく、「コメントコード」が割り当てられた「コメント」を使用することで薬品別に経管投与に関するコメントを出力できる点、並びに「コメントコード」が割り当てられた「コメント」の使用条件を指定する「出力先区分」を使用することにより、薬品マスター２１の異なるレコード２１ａ間で同一の「コメント」を共用している点に特徴がある。
【００４２】
以下、本実施形態の調剤支援システム１について概念的な例を挙げてさらに説明する。
【００４３】
図６から図８は第１の例を示す。
【００４４】
図６はホスト２から受信した処方情報を概念的に示す。この例では医師が指定した処方には２つのグループないしはレシピ（以下「ＲＰ」と表記する。）があり、１ＲＰでは「錠剤Ａ」が１日３回毎食後１錠ずつの７日分処方されている。１ＲＰには経管投与指示は含まれない。２ＲＰでは散剤Ａ，Ｂがそれぞれ１日３回毎食後１包ずつの７日分処方されている。２ＲＰには経管投与指示が含まれている。
【００４５】
図７は内規処理（図５のステップＳ２）で整理後の処方情報を示す。この例では、内規処理の前後で処方情報に変更はない。
【００４６】
錠剤Ａ、散剤Ａ，Ｂがいずれも経管投与不可、すなわち「経管投与フラグ」が「０」であるとすると、チェックシート３４が出力される（図５のステップＳ７）。図８はこの例でのチェックシート３４を模式的に示す。チェックシート３４には、錠剤Ａ、散剤Ａ，Ｂについて「経管投与不可」の表示が掲載されている。この「経管投与不可」の表示は「０」の「経管投与フラグ」に対応する「経管投与フラグコメント」が印刷されたものである（表１参照）。また、チェックシート３４には、錠剤Ａについて「腸ろうであれば経管投与可」、散剤Ａについて「散剤Ｃへ変更」、散剤Ｂについては「散剤Ｄに変更」というように対処方法が掲載されている。これらの表示は、「コメントコード」がそれぞれ「０１０２」、「０２０１」、及び「０２０２」である「コメント」が「出力先区分」に指定された使用条件に従って印刷されたものである。すなわち、錠剤Ａのレコード２１ａでは「０１０２」の「コメントコード」に「７」の「出力先区分」が付与され、散剤Ａのレコード２１ａでは「０２０１」の「コメントコード」に「７」の「出力先区分」が付与され、散剤Ｂのレコード２１ａでは「０２０２」の「コメントコード」に「７」の「出力先区分」が付与されている。このチェックシート３４には処方箋に含まれる情報がすべて掲載される。薬剤師はチェックシート３４に基づいて医師に疑義照会を行い、処方箋の再発行等の必要な処理を行う。
【００４７】
図９から図１４Ｂは第２の例を示す。
【００４８】
図９はホスト２から受診した処方情報を概念的に示す。１ＲＰでは、錠剤Ａ，Ｂが１日３回毎食後１錠ずつの７日分、散剤Ａが１日３回毎食後１包ずつの７日分処方されている。２ＲＰでは、錠剤Ｃ，Ｄ，Ｅが１日３回毎食後１錠ずつ、散剤Ｂが１日３回毎食後１包ずつの７日分処方されている。この例では、処方情報に含まれる錠剤Ａ〜Ｅ及び散剤Ａ，Ｂの「経管投与フラグ」は以下の表４に示す通りであり、「経管投与フラグ」が「０」のものは含まれない。
【００４９】
【表４】
0005532103.tif 000005
【００５０】
図１０は内規処理（図５のステップＳ２）で整理後の処方情報を示す。錠剤Ａ〜Ｅが１ＲＰ、散剤Ａ，Ｂが２ＲＰに分類されている。
【００５１】
図１１は整理処理（図５のステップＳ１０）での整理後の処方情報を示す。「シリンジ内懸濁」の錠剤Ａ（経管投与フラグ：３）が１ＲＰ、「懸濁可」の錠剤Ｂ，Ｃ（経管投与フラグ：１）が２ＲＰ、「破壊後懸濁可」の錠剤Ｄ（経管投与フラグ：２）が３ＲＰ、「破壊後シリンジ内懸濁」の錠剤Ｅ（経管投与フラグ：４）が４ＲＰ、ともに「懸濁不要」である散剤Ａ，Ｂ（経管投与フラグ：５）が５ＲＰに分類されている。
【００５２】
図１２Ａ〜Ｅは、この例での薬袋３２を示す。図１２Ａは錠剤Ａ（１ＲＰ）用の薬袋３２であり、「注意事項」に「シリンジ内にて５５℃の温湯に１０分間溶かして下さい」と記載されている。図１２Ｂは錠剤Ｂ，Ｃ（２ＲＰ）用の薬袋３２であり、「注意事項」に「５５℃の湯温に１０分間溶かして下さい」と記載されている。図１２Ｃは錠剤Ｄ（ＲＰ３）用の薬袋３２であり、「注意事項」に「錠剤を破壊して「５５℃の温湯で１０分間溶かして下さい」と記載されている。図１２Ｄは錠剤Ｅ（ＲＰ４）用の薬袋３２であり、「注意事項」に「錠剤を破壊してシリンジ内にて５５℃の温湯に１０分間溶かして下さい」と記載されている。図１２Ｅは散剤Ａ，Ｂ（ＲＰ４）用の薬袋３２であり、「注意事項」に「必ず水に溶かして下さい」と記載されている。
【００５３】
図１３は、この例で出力される経管投与情報シート３５（図５のステップＳ１２）を示す。錠剤Ａ〜Ｅ、錠剤Ａ，Ｂのそれぞれについて、薬袋３２（図１２Ａ〜図１２Ｅ）の「注意事項」と同一の内容（温水の温度、懸濁時間、破壊の要否、シリンジ使用の要否を含む簡易懸濁の詳細）が掲載されている。
【００５４】
表１から表３を参照すれば明らかなように、図１２Ａ〜図１２Ｅの薬袋３２の「注意事項」と経管投与情報シート３５に掲載されている情報は、個々の薬品のレコード２１ａに含まれる「経管投与フラグ」、「コメントコード」、及び「出力先区分」により決まる。錠剤Ａについては、「３」の「経管投与フラグ」に対応する「経管投与フラグコメント」と「００１２」の「コメントコード」に対応する「コメント」が記載されている（錠剤Ａのレコード２１ａでは「００１２」の「コメントコード」の「出力先区分」が「８」に設定されている）。錠剤Ｂ及び錠剤Ｃについては、「００１２」の「コメントコード」に対応する「コメント」が記載されている（錠剤Ｂ及び錠剤Ｃのレコード２１ａでは「００１２」の「コメントコード」の「出力先区分」が「８」に設定されている）。錠剤Ｄについては、「２」の「経管投与フラグ」に対応する「経管投与フラグコメント」と「００１２」の「コメントコード」に対応する「コメント」が記載されている（錠剤Ｄのレコード２１ａでは「００１２」の「コメントコード」の「出力先区分」が「８」に設定されている）。錠剤Ｅについては、「４」の「経管投与フラグ」に対応する「経管投与フラグコメント」が記載されている。
【００５５】
図１４Ａ，Ｂは、この例で出力される薬剤情報シート３３（図５のステップＳ１４）を示す。錠剤Ａ〜Ｅのそれぞれについて、「服用方法」として「簡易懸濁法（シリンジ内で）」、「簡易懸濁法」、「簡易懸濁法（錠剤を破壊して）」、「簡易懸濁法（錠剤を破壊してシリンジ内で）」というように簡易懸濁法に関する情報が、服用量、効能効果等と共に掲載されている。散剤Ａ，Ｂについては、前述のように「懸濁不要」であるので、簡易懸濁法に関する記載はない。
【図面の簡単な説明】
【００５６】
【図１】本発明の実施形態にかかる調剤支援システムを示すブロック図。
【図２】薬品マスターのレコードを示す模式図。
【図３】名称マスターのレコードを示す模式図。
【図４】コメントマスターのレコードを示す模式図。
【図５】本発明の実施形態にかかる調剤支援システムの動作を示すフローチャート。
【図６】処方情報の一例を示す概念図。
【図７】内規処理済みの処方情報を示す概念図。
【図８】チェックシートの一例を示す模式図。
【図９】処方情報の他の例を示す概念図。
【図１０】内規処理済みの処方情報を示す概念図。
【図１１】整理処理済みの処方情報を示す概念図。
【図１２Ａ】第１の薬袋への印字内容を示す模式図。
【図１２Ｂ】第１の薬袋への印字内容を示す模式図。
【図１２Ｃ】第１の薬袋への印字内容を示す模式図。
【図１２Ｄ】第１の薬袋への印字内容を示す模式図。
【図１２Ｅ】第１の薬袋への印字内容を示す模式図。
【図１３】経管投与情報シートの一例を示す模式図。
【図１４Ａ】薬剤情報シートの一例を示す模式図。
【図１４Ｂ】薬剤情報シートの一例を示す模式図。
【符号の説明】
【００５７】
１  調剤支援システム
２  ホスト
３  通信制御部
４  データベース
５  データベース管理部
６  入出力制御部
７  印刷部
８  入力部
９  表示部
１０  処理部
２１  薬品マスター
２２  名称マスター
２３  コメントマスター
３１  処方箋
３２  薬袋
３３  薬剤情報シート
３４  チェックシート
３５  経管投与情報シート
Ｐ  オペレータ
【図１】
0005532103.tif 000006
【図２】
0005532103.tif 000007
【図３】
0005532103.tif 000008
【図４】
0005532103.tif 000009
【図５】
0005532103.tif 000010
【図６】
0005532103.tif 000011
【図７】
0005532103.tif 000012
【図８】
0005532103.tif 000013
【図９】
0005532103.tif 000014
【図１０】
0005532103.tif 000015
【図１１】
0005532103.tif 000016
【図１２Ａ】
0005532103.tif 000017
【図１２Ｂ】
0005532103.tif 000018
【図１２Ｃ】
0005532103.tif 000019
【図１２Ｄ】
0005532103.tif 000020
【図１２Ｅ】
0005532103.tif 000021
【図１３】
0005532103.tif 000022
【図１４Ａ】
0005532103.tif 000023
【図１４Ｂ】
0005532103.tif 000024